(57)【特許請求の範囲】
【請求項１】
内部に貯水空間を有し上部に上方からの水を受けるための開口部を有する地下埋設型の貯水ユニットと、該貯水ユニットの前記開口部を覆う透水性を有する保水性ブロックと、前記貯水ユニット内の貯水空間内に貯水されている水を前記保水性ブロック側へと揚水する導水性部材と、前記保水性ブロックの内部を浸透した水を前記貯水ユニット内の貯水空間へと滴下する集水部材とを有し、前記貯水ユニットの貯水空間は圧力調整孔を介して外気に連通している潅水構造体であって、
前記貯水ユニットは、貯水ユニットに機械的強度を付与するための補強板を有し、
保水性ブロックに形成された前記圧力調整孔の、一方の開口端は前記貯水ユニットの貯水空間の上部領域に開口し、他方の開口端は前記保水性ブロックの上表面に開口しており、
さらに前記保水性ブロックの一方の開口端が形成された保水性ブロック下面の開口部分に凹部を形成したものであることを特徴とする潅水構造体。
【請求項２】
さらに、他の圧力調整孔が、一方の開口端は前記貯水ユニットの貯水空間の上部領域に開口し、他方の開口端は前記貯水ユニットの側壁外部に開口していることで、前記保水性ブロックの上表面と貯水ユニットの側壁外部と、前記貯水ユニットの貯水空間の上部領域との圧力調整を行うことを特徴とする請求項１に記載の潅水構造体。
【発明の詳細な説明】
【技術分野】
【０００１】
本発明は、例えば、歩道等の道路やビルの屋上あるいは公園内等に布設される潅水システムに用いられる潅水構造体に関するものである。
【背景技術】
【０００２】
都市部の歩道等の道路やビルの屋上、あるいは公園内の一部は、通常、アスファルトやコンクリートで固められている。気温が高く、照り返しのきつい夏季の日中、そのような場所の温度上昇は周囲に比較し一段と激しい。このような環境下において歩道を歩いたり、ビルの屋上等で過ごしたりすることはとても厳しい状況下にある。特に温暖化現象が顕著になってきた昨今においては、日中のみならず夜間においても、この熱がアスファルトやビルの屋上から放熱されて、いわゆるヒートアイランド現象を引き起こす要因の一つにもなっている。
【０００３】
このヒートアイランド現象等を緩和しようと、道路の脇に植樹したり、ビルの屋上に芝生や木を植えたり、あるいは種々の草花を植える試みも成されているが、それだけでは十分でなく、さらなる工夫が求められている。
この一環として、特許文献１や特許文献２にあるように透水性を有する保水性舗装ブロック本体（以下単に保水性ブロックという）の下に容器状の保水タンクや保水トレイを設置した潅水構造体が提案されている。この潅水構造体の場合、保水性ブロックを浸透して下降した雨水や打ち水（以下単に雨水等という）を保水タンクや保水トレイに溜めておき、外気温が高温になった時には、この雨水等を給水手段、具体的には不織布等の導水性部材を介して毛細管現象により上方に吸い上げ、これを保水性ブロック表面から蒸発させて、その蒸発潜熱により保水性ブロックを冷やそう、というものである。
すなわち、降雨時に雨水等を保水タンクや保水トレイに貯水し、例えば晴天になって、気温が高温になった時等には貯水した雨水等で保水性ブロックを冷やしてヒートアイランド現象を緩和させよう、というものである。
【０００４】
【特許文献１】特許第２８８５０８５号公報（特開平８‐８５９０７号）
【特許文献２】特開２００６−１２４９８０号公報
【発明の開示】
【発明が解決しようとする課題】
【０００５】
しかしながら、特許文献１や特許文献２に開示されている舗装用の潅水構造体の場合、実際に使用してみると、十分な降雨や打ち水があったにも関わらず、保水タンクや保水トレイ内の貯水空間を十分に満たす雨水等を集めることができない、という問題があった。
その理由は以下のように推測される。
降った雨は、直ちに保水性ブロックの表面や隣接する保水性ブロック間の目地部からその内部に向かって浸透していく。その際、その浸透の進行に伴って保水タンクや保水トレイ内の貯水空間内の空気を圧縮し、大気圧よりもその内部圧力を高めてしまう。その結果、この高められた貯水空間内部の圧力が、保水性ブロックを毛細管現象により浸透しようとしてくる雨水等の毛細管圧力を上回り、ある量を超える雨水等の浸透を阻止してしまう、と推測される。
このように保水性ブロックの材質や毛細管半径、さらにはその厚さ等が決まると、保水タンクや保水トレイ内に溜まる雨水等の貯水量が決まってしまい、それ以上の貯水量を確保することができない、という問題がある。その結果、十分な降雨や打ち水があっても保水タンクや保水トレイ内に十分な貯水量を確保できないため、例えば、夏の高温時、保水性ブロックに雨水等を短期間しか供給することができず、保水性ブロックの冷却を長期間に亘って安定して行うことができない、という問題があった。
【０００６】
前述の問題に鑑み本発明の目的は、保水性ブロック下方の貯水部に雨水等をより多く貯水でき、もって外気温が高温の場合には、長期間に亘って保水性ブロックを冷却できる潅水構造体を提供することにある。
【課題を解決するための手段】
【０００７】
前記目的を達成すべく本発明の請求項１記載の潅水構造体は、内部に貯水空間を有し上部に上方からの水を受けるための開口部を有する地下埋設型の貯水ユニットと、該貯水ユニットの前記開口部を覆う透水性を有する保水性ブロックと、前記貯水ユニット内の貯水空間内に貯水されている水を前記保水性ブロック側へと揚水する導水性部材と、前記保水性ブロックの内部を浸透した水を前記貯水ユニット内の貯水空間へと滴下する集水部材とを有し、前記貯水ユニットの貯水空間は圧力調整孔を介して外気に連通している潅水構造体であって、
前記貯水ユニットは、貯水ユニットに機械的強度を付与するための補強板を有し、
保水性ブロックに形成された前記圧力調整孔の、一方の開口端は前記貯水ユニットの貯水空間の上部領域に開口し、他方の開口端は前記保水性ブロックの上表面に開口しており、
さらに前記保水性ブロックの一方の開口端が形成された保水性ブロック下面の開口部分に凹部を形成したものであることを特徴とする。
貯水ユニットに補強板を設けることにより、貯水ユニットの強度を向上させることができる。保水性ブロックの下面に形成された圧力調整孔の一方の開口端の開口部分を皿状に凹ませて凹部を形成することにより、後述するように、貯水空間内に雨水等が一杯に蓄えられても、圧力調整孔の下端には空気が存在し、これにより貯水空間内の内圧を調整して、貯水空間内の圧力を大気圧の状態に保持し続けるという、圧力調整孔の役割を最後まで果たすことができる。
【０００８】
このように貯水ユニットの貯水空間を圧力調整孔を介して外気（以下本発明で言う外気とは、大気圧を保持している外部空間の意味である）に連通させておくと、貯水空間内に雨水等が溜まって、貯水空間内の空気の容積が変化しても貯水空間の圧力は前記圧力調整孔を介して常に大気圧とほぼ同じ値に保持される。
そのため貯水空間内の圧力は、保水性ブロックを毛細管現象により浸透しようとしている雨水等の毛細管圧力を上回ることがなくなり、貯水空間内により多くの貯水量を確保できるようになる。
換言すると、請求項１記載の潅水構造体によれば、降雨量や打ち水量に比例してより多くの貯水量を確保できるので、外気温が高温の場合にも、長期間に亘って保水性ブロックに雨水等を供給でき、その蒸発潜熱で保水性ブロックを冷却することができる。
【００１１】
また請求項１記載の潅水構造体は、内部に貯水空間を有し上部に上方からの水を受けるための開口部を有する地下埋設型の貯水ユニットと、該貯水ユニットの前記開口部を覆う透水性を有する保水性ブロックと、前記貯水ユニット内の貯水空間内に貯水されている水を前記保水性ブロック側へと揚水する導水性部材と、前記保水性ブロックの内部を浸透した水を前記貯水ユニット内の貯水空間へと滴下する集水部材とを有するものである。

【００１２】
請求項１の潅水構造体においては、例えば、保水性ブロックの下面に直接的にまたは間接的に接触するように、貯水空間に向けて突出する集水部材が設けられている。そのため、保水性ブロックを浸透して、保水性ブロックの下面に達した雨水等はこの集水部材に集められ、集水部材から貯水空間へと滴下する。すなわち、保水性ブロックの下面にこのような集水部材が存在しない場合に比較して、集水部材内部の水の重力ポテンシャルが低くなって、より効率良く貯水空間に雨水等を溜めることができる。すなわち、保水性ブロック上に降った雨水等を効率良く貯水空間に貯えることができる。
加えて、貯水ユニットの貯水空間を圧力調整孔を介して外気に連通させてあるため、貯水空間内に雨水等が溜まって、貯水空間の空気の容積が変化しても貯水空間の圧力は前記圧力調整孔を介して大気圧とほぼ同じ値に保持される。
そのため貯水空間内の圧力は、保水性ブロックを毛細管現象により浸透しようとしている雨水等の毛細管圧力を上回ることがなくなり、貯水空間内により多くの貯水量を確保できる。それ故、外気温が高温の場合にも、長期間に亘って保水性ブロックに雨水等を供給でき、その蒸発潜熱で保水性ブロックを冷却することができる。
【００１３】
また請求項１記載の潅水構造体は、前記圧力調整孔の一方の開口端は前記貯水ユニットの貯水空間の上部領域に開口していることを特徴とするものである。
このように圧力調整孔の一方の開口端を貯水ユニットの貯水空間の上部領域に開口させておくと、貯水空間の下部に雨水等が貯えられても、貯水空間上部はまだ空気層になっている。そのためこの空気層部分で外気との連通状態を維持し続けることができる。その結果、長期間に亘って貯水空間内を大気圧に維持でき、かつ貯水空間の圧力が保水性ブロックを毛細管現象により浸透しようとしている雨水等の毛細管圧力を上回るような状態になることを防止でき、貯水空間内により多くの貯水量を確保できる。よって、外気温が高温の場合にも、長期間に亘って保水性ブロックに雨水等を供給でき、その蒸発潜熱で保水性ブロックを冷却することができる。
【００１４】
さらに請求項１に記載の潅水構造体において、前記圧力調整孔の一方の開口端は前記貯水ユニットの貯水空間の上部領域に開口しており、他方の開口端は前記保水性ブロックの上表面に開口していることを特徴としている。前記一方の開口端が保水性ブロックの下面に形成された開口部分を皿状に凹ませて凹部を形成したものである。
前記のように保水性ブロック下面に凹部を形成することで、圧力調整孔８ａ下端に凹部に空気を存在させることができるので、貯水空間の圧力を大気圧に保つ等の圧力調整を行うことができる。

【００１５】
請求項１に記載の潅水構造体において、このように圧力調整孔の一方の開口端を貯水ユニットの貯水空間の上部領域に開口させ、他方の開口端を保水性ブロックの上表面、あるいはまた貯水ユニットの側壁外部に開口させるようにすれば、前者の場合には、保水性ブロック上の大気と貯水ユニットの貯水空間とを容易に、かつ確実に連通できるし、後者の場合には、例えば、貯水ユニットの脇に側溝等が走っていれば、この側溝内の大気と貯水空間とを簡単な構造で連通できる利点がある。
その結果、貯水空間内の圧力を常時簡単に大気圧に保持でき、貯水空間の圧力が保水性ブロックを毛細管現象により浸透しようとしている雨水等の毛細管圧力を上回るような状態になることを回避でき、貯水空間内に十分な貯水量を貯えることができる。それ故、この十分な貯水量でもって、長期間に亘って保水性ブロックに雨水等を供給でき、その蒸発潜熱で保水性ブロックを冷却することができる。
また請求項２記載の潅水構造体は、さらに、他の圧力調整孔が、一方の開口端は前記貯水ユニットの貯水空間の上部領域に開口し、他方の開口端は前記貯水ユニットの側壁外部に開口していることで、前記保水性ブロックの上表面と貯水ユニットの側壁外部と、前記貯水ユニットの貯水空間の上部領域との圧力調整を行うことを特徴とするものである。前記保水性ブロックの上表面と貯水ユニットの側壁外部と、前記貯水ユニットの貯水空間の上部領域との圧力調整を行うことができる。
【発明の効果】
【００２８】
以上のように本発明によれば、保水性ブロック下方の貯水部に雨水等をより多く貯水でき、もって外気温が高温の場合には、長期間に亘って保水性ブロックを冷却できる潅水構造体を提供することができる。
【発明を実施するための最良の形態】
【００２９】
以下に図を用いて本発明の潅水構造体の実施形態例を詳細に説明する。
図１は本発明の潅水構造体の第一実施形態例を示す概略断面図である。図１に示すように、この潅水構造体１は、内部に貯水空間２を有し上部に開口部を有する地下埋設型の貯水ユニット３と、貯水ユニット３の前記開口部を覆うインターブロッキング舗装等によく使用される透水性を有する保水性ブロック４（以下単に保水性ブロック４という）と、貯水空間２内に貯水されている雨水等５を、毛細管現象を利用して保水性ブロック４側へと揚水する導水性部材６とを有している。
ここで、貯水ユニット３の前記開口部は、保水性ブロックや後述する天板の下面あるいは集水部材下端等から滴下する雨水等を受ける開口部、すなわち上方からの水を受け取るために設けられている開口部である。
また、符号７は、貯水ユニット３に、より機械的強度を付与したいような場合に、貯水ユニット３に一体成形されたり、接着剤等で接続される補強板である。ところで、図１ではこの補強板７で貯水空間２が複数箇所に仕切られているように見えるが、実際には、各補強板７には適当な大きさの開口部や切欠等があって、貯水されている雨水等５は貯水空間２全体に移動可能になっている。
【００３０】
ここで貯水ユニット３としては、プラスチック製の成形体が好適であるが、金属製、セラミック製あるいは金属とプラスチックの複合体、金属とセラミックスの複合体であってもよい。特に好ましいのはポリプロピレン製で、さらにはポリプロピレンのリサイクル品であると環境保護の面からも最適である。
また導水性部材６としては、一般的には不織布が使用されるが、これ以外にも、例えば、ガラス粉やセラミックス粉を管状あるいは柱状に成形した成形体（多孔質体）であってもよいし、あるいはプラスチックや金属からなるパイプ内にガラス粉やセラミックス粉を充填したものであってもよい。このようにプラスチックや金属からなるパイプを使用すれば、これらパイプが補強体としての役割も果たすので好ましい。
ところで図１では、１個の貯水ユニット３内に導水性部材６を２個装着しているが、実際には、導水性部材６の保水性ブロック４への揚水量が、保水性ブロック４から大気中へと蒸発する雨水等の蒸発量以上になるようにその個数、大きさ等が決定される。
【００３１】
そして図１に示す本発明の潅水構造体１の最も大きな特徴は、一端が貯水ユニット３の貯水空間２の上部領域に開口し、他端が保水性ブロック４の上表面に開口している圧力調整孔８ａが保水性ブロック４を上下に貫通して設けられている点にある。この圧力調整孔８ａの内径は５ｍｍ以上にしておくのが好ましい。その理由は、降雨の雨粒の大きさがおおよそ５ｍｍ以下であるからである。この内径があまり小さいと水の表面張力で圧力調整孔８ａの孔が容易に塞がれて、圧力調整孔８ａの目的である外気、すなわち大気と貯水空間２を繋ぎ、貯水空間２内の圧力を常に大気圧とほぼ等しくする、という目的を達成することができなくなるからである。
【００３２】
このように保水性ブロック４に貯水ユニット３の貯水空間２と外気を連通する圧力調整孔８ａを設けておくと、貯水ユニット３の貯水空間２内に雨水等が溜まって、貯水空間２内の空気の容積が変化しても貯水空間２の内圧は圧力調整孔８ａを介して常に大気圧とほぼ同じ値に保持される。
そのため貯水空間２の内圧は、保水性ブロック４を毛細管現象により浸透してくる雨水等の毛細管圧力を上回ることがなくなる。その結果、従来のように貯水空間２に雨水等が一定量貯えられると、貯水空間２内の内圧が高まって、それ以降は保水性ブロック４側から雨水等が浸透して来ず、貯水空間２に十分な雨水等を貯えることができない、という問題を解決することができる。
それ故、この潅水構造体１によれば、降雨量におおよそ比例してより多くの貯水量を確保できるので、外気温が高温の場合にも、長期間に亘って保水性ブロック４に雨水等を安定して供給でき、その蒸発潜熱で保水性ブロック４を冷却し続けることができる。
【００３３】
ところでこの圧力調整孔８ａの貯水空間２側の開口端は、貯水空間２のできるだけ上部領域に設けることが好ましい。
その理由は、下部領域に設けると早い段階で貯水空間２内に溜まる雨水等５にその開口端が水没し、もはや貯水空間２の空気が残っている部分と外気（大気）とを繋ぎ、貯水空間２内の内圧を大気圧に等しくできなくなるからである。すなわち、圧力調整孔８ａの貯水空間２側開口端が水没した時点で、貯水空間２内の内圧調整機能が失われ、もはや保水性ブロック４側から貯水空間２へ雨水等の浸透が行われなくなってしまう。
ところで、保水性ブロック４の上表面に形成されている圧力調整孔８ａの開口端からごみが侵入すると、圧力調整孔８ａを塞いで貯水空間２内の内圧調整機能が失われたり、貯水空間２の容積を狭める恐れがある。そこで必要なら金網等でできている、いわゆる通気性を有する蓋１３をこの開口端に被せておくことも有効である。また、この蓋１３の先端が保水性ブロック４の上表面よりも突出しないようにしておけば、歩行者の邪魔にならず、それ故、自身も破損し難くなり、好ましい。
【００３４】
図２は本発明の潅水構造体の第一実施形態例の他の形態を示す概略断面図である。この図２を含め、以下に説明する図面においては、先に説明した図面で既に説明したものと同じものには同じ符号を付して、詳細な説明は省略することにする。
図２に示す潅水構造体１の特徴は、貯水ユニット３の一方の側壁にパイプを貫通させ、圧力調整孔８ｂが形成されている点にある。因みに、この場合には、潅水構造体１の脇に側溝９が設置されていて、圧力調整孔８ｂの側溝側の開口端は、側溝９の中央部よりも上方に形成されているものとする。尚、図２で符号１０は、側溝９の上部の開口部を覆う蓋である。
ところで図２では圧力調整孔８ｂの一端が側溝９の上部領域に開口しているが、この開口部が側溝９内を流れる雨水等５で塞がれないように、側溝９のできるだけ上部領域に開口するようにするのが好ましい。因みに、圧力調整孔８ｂのどちらか一方の開口端が水没した時点で、圧力調整孔８ｂは貯水空間２の内圧を大気と同じにする、という機能を失ってしまう。
【００３５】
また図２に示す潅水構造体１において、貯水ユニット３の貯水空間２内の圧力を大気圧に等しくする、という機能をより確実に発揮させるために、図１に示す保水性ブロック４に形成されている圧力調整孔８ａも併せて形成しておくこともできる。
加えて図２において、貯水ユニット３の貯水空間２の向かって右側にも、例えば、隣接貯水ユニット間圧力調整管８ｃを設けておけば、一点鎖線が示すように、隣接して潅水構造体１を布設して潅水システムを形成する場合に、隣の潅水構造体１の貯水ユニット３に対して、その貯水空間２にこの隣接貯水ユニット間圧力調整管８ｃを連結すれば、さらに潅水システム全体の貯水空間２の圧力調整がより確実に行える利点もある。
尚、図２において符号１１は、潅水構造体１を布設するために歩道等に所定の深さの穴を掘り、必要により不陸処置を施した路盤を示している。
【００３６】
図３は本発明の潅水構造体の第一実施形態例の他の形態を示す概略断面図である。
図３に示すものは、図２に示すものに似ているが、相違する箇所は、圧力調整孔８ｂを形成するためのパイプを車道と歩道との間に設置されている路石１２を貫通させて車道側の外気にその一端を開口させている点にある。この場合にも、貯水ユニット３の貯水空間２内の圧力を大気圧に等しくする、という機能を保証するために、図１に示す保水性ブロック４に形成されている圧力調整孔８ａ（図３には図示せず）や隣接貯水ユニット間圧力調整管８ｃも併せて形成することもできる。
【００３７】
図４は本発明の潅水構造体の第一実施形態例の他の形態を示す概略断面図である。
図４に示す潅水構造体１の特徴は、保水性ブロック４の下面に、例えば、円柱状または角柱状の、突起状の集水部材１５を、その先端が貯水ユニット３の貯水空間２に向かって突出するように、例えば接着剤やねじ等で固定した点にある。ところでこの集水部材１５は、保水性ブロック４の下面に直接固定したものに限らず、例えば、貯水ユニット３の補強板７に設けた固定機構を介して保水性ブロック４の下面に接触するように装着したものであってもよい。
【００３８】
図４に示す突起状の集水部材１５は、例えば、石英粉末を成形した透水性を有する成形体で、その毛細管半径が５０μｍ、長さは１０ｍｍの多孔質体である。もちろんこれ以外の材質、形状であってもよい。具体的には、プラスチックあるいは金属性のパイプを補強体として、前記石英粉末製の成形体に被せたものであってもよい。
このような集水部材１５を保水性ブロック４の下面に設けておくと、保水性ブロック４内を浸透して下垂した雨水等は、効率良くこの集水部材１５に集まる。
因みに、図４において、保水性ブロック４と突起状の集水部材１５を一体としてみたとき、この突起状の集水部材１５の内部の水の重力ポテンシャルが一番低くなり、保水性ブロック４を浸透してきた雨水等をより早く貯水空間２へと滴下でき、より速い速度で貯水空間２に雨水等を貯えることが可能になる。
【００３９】
ところで、図４に示すように集水部材１５を保水性ブロック４の下面に装着し、圧力調整孔８ｂや隣接貯水ユニット間圧力調整管８ｃはなく、保水性ブロック４に圧力調整孔８ａのみ設けた場合と、圧力調整孔８ａ、８ｂ及び隣接貯水ユニット間圧力調整管８ｃが全くない場合で、貯水ユニット３の貯水空間２に溜まる雨水等の高さ、すなわち貯水量を比較してみた。因みに、用いた集水部材１５は、前述したように石英粉末を成形した透水性を有する成形体で、その毛細管半径が５０μｍ、長さが１０ｍｍの多孔質体である。また貯水空間２の深さは、１６０ｍｍになっている。比較実験をした温度雰囲気は２０℃である。そして初期状態では貯水空間２内に水は全くなく、内圧は大気圧に等しい１気圧である。
この状態で保水性ブロック４上に水をかけ始めた。その結果、保水性ブロック４を浸透した水が保水性ブロック４の下面に装着された集水部材１５に集まり、その先端から貯水空間２へと滴下し始めた。
【００４０】
圧力調整孔８ａ、８ｂ及び隣接貯水ユニット間圧力調整管８ｃがいずれも形成されていない潅水構造体にあっては、貯水空間２内の水の高さが約１ｍｍになった時点で、最早水位がそれ以上上昇することはなかった。すなわち、保水性ブロック４に水を掛け続けているにも関わらず、貯水空間２に水がそれ以上溜まっていくことはなかった。これは貯水空間２の空気が溜まってくる水の体積増加に比例して徐々に圧縮され、貯水空間２の内圧が高まったからである、と推測される。
その結果、この高められた貯水空間２内部の空気の圧力が、実験の途中から保水性ブロック４を毛細管現象により浸透してくる水の毛細管圧力を上回ってしまって、この実験の場合には、わずか１ｍｍ程度の高さまでしか溜まらなかった、と考えられる。
一方、図４にあって圧力調整孔８ａのみ形成されている本発明の潅水構造体１にあっては、圧力調整孔８ａで貯水空間２内の空気の圧力が常に大気圧に等しい圧力に保持されているため、圧力調整孔８ａの貯水空間２側の開口端の端部近傍の約１６０ｍｍの高さまで水を貯えることができた。
【００４１】
図５に示す潅水構造体は、本発明の潅水構造体の第一実施形態例の他の形態を示す概略断面図である。図５に示す潅水構造体１の特徴は、集水部材１５が円錐状または角錐状になっていて、貯水空間２に向かってその先端が尖っている点にその特徴がある。
そのため、その先端に雨水等がより集まり易くなる。その結果、保水性ブロック４を浸透してきた雨水等をより一層早く貯水空間２へと滴下でき、より速い速度で貯水空間２に貯えることができる。
【００４２】
図６は、本発明の第二実施形態例を示す保水性ブロック４の一部拡大断面図である。例えば、図１に示すような潅水構造体１で潅水システムを構成した場合、この圧力調整孔８ａの下端の開口端は、前述したようにできるだけ貯水空間２の上部領域に開口している方が、理論的には貯水空間２内により多くの雨水等を貯えることができる。そこで保水性ブロック４の下面に形成される圧力調整孔８ａの下端の開口部分を図６に示すように、例えば、皿状に凹まして凹部４１を形成しておく。このようにしておけば、貯水空間２内に雨水等が一杯に貯えられても、まだ圧力調整孔８ａの下端には空気が存在し、よって貯水空間２内の内圧調整、すなわち大気圧の状態に保持し続ける、という圧力調整孔８ａの役割を最後まで果たすことができ好ましい。
【００６６】
ところでまた、これまで説明してきた各実施形態例では、１個の貯水ユニット３上に１個の保水性ブロック４が載置されている図のみ示しているが、例えば、１個の貯水ユニット３の上に４個等複数個の保水性ブロック４を載せるものであってもよい。
【００６７】
以上に説明したように本発明によれば、保水性ブロック下方の貯水空間に雨水等をより多く貯水でき、もって外気温が高温の場合には、長期間に亘って保水性ブロックを冷却できる潅水構造体を提供することができる。
【図面の簡単な説明】
【００６８】
【図１】本発明の潅水構造体の第一実施形態例を示す概略断面図である。
【図２】本発明の潅水構造体の第一実施形態例の他の形態を示す概略断面図である。
【図３】本発明の潅水構造体の第一実施形態例の他の形態を示す概略断面図である。
【図４】本発明の潅水構造体の第一実施形態例の他の形態を示す概略断面図である。
【図５】本発明の潅水構造体の第一実施形態例の他の形態を示す概略断面図である。
【図６】本発明の第二実施形態例を示す保水性ブロック４の一部拡大断面図である。
【符号の説明】
【００６９】
１  潅水構造体
２  貯水空間
３  貯水ユニット
４  保水性ブロック
５  雨水等
６  導水性部材
７  補強板
８ａ  圧力調整孔
８ｂ  圧力調整孔
８ｃ  隣接貯水ユニット間圧力調整管
９  側溝
１０  蓋
１１  路盤
１２  路石
１５  集水部材
４１  凹部
【図１】
0004927768.tif 000002
【図２】
0004927768.tif 000003
【図３】
0004927768.tif 000004
【図４】
0004927768.tif 000005
【図５】
0004927768.tif 000006
【図６】
0004927768.tif 000007